(57)【要約】【課題】カード引き抜き時に煩わしい動作が不要でありハングアップが起こることも防止できるデジタル放送受信装置を提供する。【解決手段】ユーザが指によりシャッター部材１３およびシャッター部材１４にカード挿入方向へ外力を加えると、シャッター部材１３およびシャッター部材１４が互いに離れるように回動し、タクトスイッチ１０およびタクトスイッチ１１がオンとなり、これが検出されるとトランスポートストリームのデスクランブル処理が停止する。【選択図】図３
2008167121.tif 000002
【特許請求の範囲】
【請求項１】
カード挿入口を有し前記カード挿入口からカードが挿入されるカードインタフェイスと、前記カードインタフェイスに挿入されたカードが生成するスクランブル鍵に基づきトランスポートストリームに対してデスクランブルを行うデスクランブル手段と、前記デスクランブル手段によりデスクランブルが行われたトランスポートストリームに基づく表示用信号を表示手段に出力する表示用信号出力手段と、前記カード挿入口の前方に配置され回動自在な第一の回動部材および第二の回動部材と、二つのタクトスイッチを備え前記第一の回動部材および前記第二の回動部材の回動を検出する検出手段と、を備え、
前記デスクランブル手段が前記カードインタフェイスに挿入されたカードが生成するスクランブル鍵に基づきトランスポートストリームに対してデスクランブルを行っている状態で前記第一の回動部材および前記第二の回動部材にカード挿入方向へ外力が加わると、前記第一の回動部材および前記第二の回動部材は互いに離れるように回動し、前記タクトスイッチが前記第一の回動部材および前記第二の回動部材の押圧によりオンとなり、これを前記検出手段が検出し前記第一の回動部材および前記第二の回動部材の回動を検出すると、前記デスクランブル手段がデスクランブルを停止すると共に、前記表示用信号出力手段が前記表示手段にブルーバック画面を表示させるための表示用信号を前記表示手段に出力し、前記デスクランブル手段がデスクランブルを停止してから所定時間経過後に前記カードインタフェイスにカードが接続されている場合は、前記デスクランブル手段はデスクランブルを再開し、
前記検出手段が前記第一の回動部材と前記第二の回動部材とのいずれか一方の回動を検出しても、前記デスクランブル手段はデスクランブルを継続する、
ことを特徴とするデジタル放送受信装置。
【請求項２】
カード挿入口を有し前記カード挿入口からカードが挿入されるカードインタフェイスと、前記カードインタフェイスに挿入されたカードが生成するスクランブル鍵に基づきトランスポートストリームに対してデスクランブルを行うデスクランブル手段と、前記カード挿入口の前方に配置され回動自在な少なくとも一つの回動部材と、前記少なくとも一つの回動部材のうちの少なくとも一つの回動を検出する検出手段と、を備え、
前記デスクランブル手段が前記カードインタフェイスに挿入されたカードが生成するスクランブル鍵に基づきトランスポートストリームに対してデスクランブルを行っている状態で前記少なくとも一つの回動部材にカード挿入方向へ外力が加わると、前記少なくとも一つの回動部材が回動し、前記検出手段が前記少なくとも一つの回動部材のうちの少なくとも一つの回動を検出すると、前記デスクランブル手段がデスクランブルを停止する、ことを特徴とするデジタル放送受信装置。
【請求項３】
前記少なくとも一つの回動部材は二つの回動部材であり、
前記検出手段が前記二つの回動部材の回動を検出すると、前記デスクランブル手段がデスクランブルを停止し、
前記検出手段が前記二つの回動部材のうちのいずれか一方の回動を検出しても、前記デスクランブル手段はデスクランブルを継続する、ことを特徴とする請求項２に記載のデジタル放送受信装置。
【請求項４】
前記検出手段は少なくとも一つのタクトスイッチを備え、
前記検出手段は、前記少なくとも一つの回動部材のうちの少なくとも一つの回動により前記タクトスイッチが前記少なくとも一つの回動部材のうちの少なくとも一つに押圧されオンとなったことを検出することで、前記少なくとも一つの回動部材のうちの少なくとも一つの回動を検出する、ことを特徴とする請求項２に記載のデジタル放送受信装置。
【請求項５】
前記デスクランブル手段がデスクランブルを停止すると共に、表示手段にブルーバック画面を表示させるための表示用信号を前記表示手段に出力する表示信号出力手段を備えることを特徴とする請求項２に記載のデジタル放送受信装置。
【請求項６】
前記デスクランブル手段がデスクランブルを停止してから所定時間経過後に前記カードインタフェイスにカードが接続されている場合は、前記デスクランブル手段はデスクランブルを再開する、ことを特徴とする請求項２に記載のデジタル放送受信装置。
【発明の詳細な説明】
【技術分野】
【０００１】
本発明は、デジタル放送受信装置に関する。
【背景技術】
【０００２】
現在、市場で販売されているデジタルチューナ、デジタル放送受信対応テレビ、デジタル放送受信対応ハードディスクレコーダ等のデジタル放送受信装置は、Ｂ−ＣＡＳカードが付属されて販売されている。ユーザは、Ｂ−ＣＡＳカードをデジタル放送受信装置に挿入することでデジタル放送にかけられたスクランブルを解除し放送番組を視聴することができる。
【０００３】
Ｂ−ＣＡＳカードはスクランブル解除システムの一部となっており、システムの動作中にＢ−ＣＡＳカードがユーザによりデジタル放送受信装置から引き抜かれるとデジタル放送受信装置がハングアップしてしまうという問題があった。そこで、従来のデジタル放送受信装置には、図５のようにＢ−ＣＡＳカードが挿入されるカード挿入口付近にスイッチが設けられている。Ｂ−ＣＡＳカードがカード挿入口に挿入されスイッチが「ロック」の位置に位置されると、Ｂ−ＣＡＳカードは引き抜き不可能となる。そして、スクランブル解除システムの動作中にユーザがＢ−ＣＡＳカードを引き抜こうとする場合は、まずユーザはスイッチを「解除」のほうへ位置させてからＢ−ＣＡＳカードを引き抜く。スイッチが「解除」のほうへ位置されると、そのことが検知されてスクランブル解除システムが動作を停止するので、その後Ｂ−ＣＡＳカードが引き抜かれてもハングアップが起こることはない。
【０００４】
また、例えば特許文献１に開示されている技術を用いれば、ユーザがカバーロックノブを摺動させカードカバーを開けるとスイッチがオフとなり、これが検知されてスクランブル解除システムが動作を停止するような構成をとることも可能である。これによってもＢ−ＣＡＳカードの引き抜きによりハングアップが起こることはない。
【特許文献１】実開平４−１２３４６０号公報
【発明の開示】
【発明が解決しようとする課題】
【０００５】
しかし、上記従来のデジタル放送受信装置や特許文献１を利用したデジタル放送受信装置では、スイッチを「解除」のほうへ位置させたり、カバーロックノブを摺動させるといった動作がＢ−ＣＡＳカードの引き抜き時に必要であり、ユーザにとって煩わしいという問題がある。
【０００６】
上記問題点を鑑み、本発明は、カード引き抜き時に煩わしい動作が不要でありハングアップが起こることも防止できるデジタル放送受信装置を提供することを目的とする。
【課題を解決するための手段】
【０００７】
上記目的を達成するために本発明のデジタル放送受信装置は、カード挿入口を有し前記カード挿入口からカードが挿入されるカードインタフェイスと、前記カードインタフェイスに挿入されたカードが生成するスクランブル鍵に基づきトランスポートストリームに対してデスクランブルを行うデスクランブル手段と、前記カード挿入口の前方に配置され回動自在な少なくとも一つの回動部材と、前記少なくとも一つの回動部材のうちの少なくとも一つの回動を検出する検出手段と、を備え、
前記デスクランブル手段が前記カードインタフェイスに挿入されたカードが生成するスクランブル鍵に基づきトランスポートストリームに対してデスクランブルを行っている状態で前記少なくとも一つの回動部材にカード挿入方向へ外力が加わると、前記少なくとも一つの回動部材が回動し、前記検出手段が前記少なくとも一つの回動部材のうちの少なくとも一つの回動を検出すると、前記デスクランブル手段がデスクランブルを停止する、ことを特徴としている。
【０００８】
このような構成によれば、ユーザが指により回動部材に外力を加え、回動部材が回動すると、そのままカードを指で把持しカードインタフェイスから引き抜くことができるので、カード引き抜き時に従来のような煩わしい動作が不要となる。また、ユーザがカードを引き抜く時点ではすでにデスクランブルが停止しているので、カードを引き抜いてもハングアップが起こることはない。
【０００９】
また、本発明のデジタル放送受信装置は上記構成において、前記少なくとも一つの回動部材は二つの回動部材であり、
前記検出手段が前記二つの回動部材の回動を検出すると、前記デスクランブル手段がデスクランブルを停止し、
前記検出手段が前記二つの回動部材のうちのいずれか一方の回動を検出しても、前記デスクランブル手段はデスクランブルを継続する、ことを特徴としている。
【００１０】
このような構成によれば、ユーザが誤って二つの回動部材のうちのいずれか一方に外力を加えたとしても、表示手段において放送画面の表示が途切れることがない。
【００１１】
また、本発明のデジタル放送受信装置は上記構成において、前記検出手段は少なくとも一つのタクトスイッチを備え、
前記検出手段は、前記少なくとも一つの回動部材のうちの少なくとも一つの回動により前記タクトスイッチが前記少なくとも一つの回動部材のうちの少なくとも一つに押圧されオンとなったことを検出することで、前記少なくとも一つの回動部材のうちの少なくとも一つの回動を検出する、ことを特徴としている。
【００１２】
このような構成によれば、簡易な構成で回動部材の回動を検出することができる。
【００１３】
また、本発明のデジタル放送受信装置は上記構成において、前記デスクランブル手段がデスクランブルを停止すると共に、表示手段にブルーバック画面を表示させるための表示用信号を前記表示手段に出力する表示信号出力手段を備える、ことを特徴としている。
【００１４】
このような構成によれば、デスクランブルが停止されてもユーザにとって見苦しい画面が表示手段に表示されることがない。
【００１５】
また、本発明のデジタル放送受信装置は上記構成において、前記デスクランブル手段がデスクランブルを停止してから所定時間経過後に前記カードインタフェイスにカードが接続されている場合は、前記デスクランブル手段はデスクランブルを再開する、ことを特徴としている。
【００１６】
このような構成によれば、ユーザがカードを引き抜こうとして途中で気が変わり引き抜かなった場合、再び放送画面を視ることができる。
【発明の効果】
【００１７】
本発明のデジタル放送受信装置によれば、カード引き抜き時に煩わしい動作が不要でありハングアップが起こることも防止できる。
【発明を実施するための最良の形態】
【００１８】
以下、本発明に係る実施形態について図面を参照し説明する。
【００１９】
図１に、本発明に係るデジタル放送受信装置のブロック図を示す。本発明に係るデジタル放送受信装置は、受信部２と、デスクランブル部３と、データ分離部４と、映像音声デコード部５と、音声Ｄ／Ａコンバータ６と、映像合成部７と、制御部８と、カードインタフェイス９と、タクトスイッチ１０と、タクトスイッチ１１とを備える。
【００２０】
アンテナ１は、受信部２に接続され、デジタル放送の放送電波を受信し、電気信号である放送信号に変換し受信部２に出力する。受信部２は、アンテナ１から入力される放送信号から制御部８が指示する周波数の放送信号を抽出し、トランスポートストリームをデスクランブル部３に出力する。
【００２１】
デスクランブル部３は、カードインタフェイス９に接続された不図示のＢ−ＣＡＳカードに記憶されたコンテンツ保護用鍵に基づき生成されたスクランブル鍵を用いてトランスポートストリームにデスクランブルを行う。
【００２２】
データ分離部４は、デスクランブルされたトランスポートストリームから映像データおよび音声データを分離し、映像データおよび音声データを映像音声デコード部５に出力する。
【００２３】
映像音声デコード部５は、データ分離部４から入力された映像データおよび音声データにデコードを行い、デコードされた映像データを映像合成部７に出力し、デコードされた音声データを音声Ｄ／Ａコンバータ６に出力する。
【００２４】
映像合成部７は、映像音声デコード部５から入力された映像データと、自ら生成した映像データとを合成し、合成データに基づく表示用信号を不図示のテレビに出力する。また、映像合成部７は、上記合成を行わず、自ら生成した映像データに基づく表示用信号を出力することも行う。音声Ｄ／Ａコンバータ６は、映像音声デコード部５から入力された音声データをデジタルからアナログに変換し不図示のテレビに出力する。
【００２５】
カードインタフェイス９には、不図示のＢ−ＣＡＳカードが接続される。Ｂ−ＣＡＳカードは、デジタル放送受信装置を購入したユーザに対して提供されるＩＣカードであり、コンテンツ保護用鍵が記憶されており、このコンテンツ保護用鍵に基づきスクランブル鍵を生成する。
【００２６】
タクトスイッチ１０およびタクトスイッチ１１は、カードインタフェイス９からＢ−ＣＡＳカードが引き抜かれようとしていることを検出するためのスイッチであり、その動作については後述する。
【００２７】
図２は、本発明に係るデジタル放送受信装置が有するカード挿入口付近の構造を示す概略斜視図である。また、図３は、カード挿入口付近の構造の概略側面断面図である。
【００２８】
本発明に係るデジタル放送受信装置が有する筐体１２の前面に略直方体状の凹部１２ａが形成されている。シャッター部材１３は略三角柱状をしており、略三角形状である一端面の頂点付近から略三角形状である他端面の頂点付近まで長手方向に貫通するような貫通穴１３ａが設けられる。そして、凹部１２ａが有する左右側面部の前方上側に形成される各穴部（不図示）およびシャッター部材１３が有する貫通穴１３ａを貫通するよう軸（不図示）が通される。そして、シャッター部材１３は上記軸周りに回動自在に不図示の弾性部材により支持される。
【００２９】
また、シャッター部材１４も略三角柱状をしており、略三角形状である一端面の頂点付近から略三角形状である他端面の頂点付近まで長手方向に貫通するような貫通穴１４ａが設けられる。そして、凹部１２ａが有する左右側面部の前方下側に形成される各穴部（不図示）およびシャッター部材１４が有する貫通穴１４ａを貫通するよう軸（不図示）が通される。そして、シャッター部材１４は上記軸周りに回動自在に不図示の弾性部材により支持される。
【００３０】
また、凹部１２ａが有する底面部にはカード挿入口１２ｂが形成され、カード挿入口１２ｂの後方にカードインタフェイス９のカード挿入口が位置し、Ｂ−ＣＡＳカードをカード挿入口１２ｂおよびカードインタフェイス９のカード挿入口を介してカードインタフェイス９内部へ挿入可能となっている。
【００３１】
そして、シャッター部材１３およびシャッター部材１４に外力が加えられていない状態では、図３（ａ）に示すような位置でシャッター部材１３およびシャッター部材１４は不図示の各弾性部材により支持され、タクトスイッチ１０はオフの状態でシャッター部材１３の一側面に当接し、タクトスイッチ１１はオフの状態でシャッター部材１４の一側面に当接する。
【００３２】
ここでユーザが指によりシャッター部材１３およびシャッター部材１４にカード挿入方向へ外力を加えると、図３（ｂ）のようにシャッター部材１３およびシャッター部材１４は互いに離れるように回動し、タクトスイッチ１０はシャッター部材１３により押し込まれてオンとなり、タクトスイッチ１１はシャッター部材１４により押し込まれてオンとなり、シャッター部材１３とシャッター部材１４との隙間が広がる。この状態でユーザは、シャッター部材１３とシャッター部材１４との隙間、カード挿入口１２ｂおよびカードインタフェイス９のカード挿入口を介してＢ−ＣＡＳカードをカードインタフェイス９に挿入する。
【００３３】
カード挿入後、ユーザが指をシャッター部材１３およびシャッター部材１４から離し外力を取り除くと、シャッター部材１３およびシャッター部材１４は不図示の各弾性部材により回動し、図３（ｃ）のように図３（ａ）と同じ位置に戻り、タクトスイッチ１０およびタクトスイッチ１１は再びオフとなる。
【００３４】
ここで、図３（ｃ）のようにＢ−ＣＡＳカードがカードインタフェイス９に挿入された状態で、Ｂ−ＣＡＳカードが生成するスクランブル鍵を制御部８が読み取ってデスクランブル部３に送出し、デスクランブル部３が受信部２から入力されるトランスポートストリームをスクランブル鍵を用いてデスクランブルし、不図示のテレビに放送画面が表示されているとする。
【００３５】
ここで、ユーザが指によりシャッター部材１３およびシャッター部材１４にカード挿入方向へ外力を加えると、図３（ｄ）のようにシャッター部材１３およびシャッター部材１４は互いに離れるように回動し、タクトスイッチ１０はシャッター部材１３により押し込まれてオンとなり、タクトスイッチ１１はシャッター部材１４により押し込まれてオンとなり、制御部８がタクトスイッチ１０およびタクトスイッチ１１がオンとなったことを検出する（図４のステップＳ１）。
【００３６】
すると、制御部８はスクランブル鍵の読み取りとデスクランブル部３への送出を停止し、デスクランブル部３はデスクランブルを停止する。このとき、映像合成部７は、制御部８の指示により映像信号を生成し不図示のテレビに表示用信号を出力し、テレビにブルーバック画面が表示される（ステップＳ２）。
【００３７】
それから所定時間後に制御部８はカードインタフェイス９にＢ−ＣＡＳカードが接続されているかを確認し、すでに上記所定時間内に図３（ｄ）のようにシャッター部材１３とシャッター部材１４との隙間から突出したＢ−ＣＡＳカードをユーザがシャッター部材１３およびシャッター部材１４に外力を加えた指で把持してカードインタフェイス９から引き抜き、カードインタフェイス９にＢ−ＣＡＳカードが接続されていない場合は（ステップＳ３のＮ）、映像合成部７が出力する表示用信号により引き続き不図示のテレビにブルーバック画面が表示される。
【００３８】
一方、上記のように制御部８がカードインタフェイス９にＢ−ＣＡＳカードが接続されているかを確認し、上記所定時間内にＢ−ＣＡＳカードがカードインタフェイス９から引き抜かれず、カードインタフェイス９にＢ−ＣＡＳカードが接続されている場合は（ステップＳ３のＹ）、制御部８はスクランブル鍵の読み取りとデスクランブル部３への送出を再開し、デスクランブル部３はデスクランブルを再開し（ステップＳ４）、不図示のテレビに再び放送画面が表示される。
【００３９】
このように本発明では、ユーザは指によりシャッター部材１３およびシャッター部材１４にカード挿入方向へ外力を加えてシャッター部材１３およびシャッター部材１４を回動させ、そのまま同じ指でＢ−ＣＡＳカードを把持し引き抜くことができるので、カード引き抜き時に従来のような煩わしい動作が不要となる。また、ユーザが指によりシャッター部材１３およびシャッター部材１４にカード挿入方向へ外力を加えた時点でタクトスイッチ１０およびタクトスイッチ１１がオンとなり、デスクランブル処理が停止するので、その後Ｂ−ＣＡＳカードがカードインタフェイス９から引き抜かれてもハングアップが起こることはない。
【００４０】
また、図３（ｃ）の状態でシャッター部材１３とシャッター部材１４とのいずれか一方だけに外力が加わり、シャッター部材１３とシャッター部材１４とのいずれか一方だけが回動し、タクトスイッチ１０とタクトスイッチ１１とのいずれか一方だけがオンとなり、制御部８がこれを検出した場合は、制御部８はスクランブル鍵の読み取りとデスクランブル部３への送出を継続し、デスクランブル部３はデスクランブルを継続する。これにより、ユーザが誤ってシャッター部材１３とシャッター部材１４とのいずれかに触れてしまった場合でも、不図示のテレビにおける放送番組の表示が途切れることはない。
【００４１】
なお、タクトスイッチ１０とタクトスイッチ１１とのいずれか一方のみを設け、設けられたタクトスイッチがオンとなったことを制御部８が検出するとデスクランブルが停止するように構成してもよい。
【図面の簡単な説明】
【００４２】
【図１】は、本発明に係るデジタル放送受信装置のブロック図である。
【図２】は、本発明に係るカード挿入口付近の構造を示す概略斜視図である。
【図３】は、本発明に係るカード挿入口付近の構造の概略側面断面図である。
【図４】は、本発明に係るカード引き抜き時の動作に関するフローチャートである。
【図５】は、従来のカード挿入口付近の外観を示す図である。
【符号の説明】
【００４３】
９    カードインタフェイス
１０    タクトスイッチ
１１    タクトスイッチ
１２    筐体
１２ａ    凹部
１２ｂ    カード挿入口
１３    シャッター部材
１３ａ    貫通穴
１４    シャッター部材
１４ａ    貫通穴
【図１】
2008167121.tif 000003
【図２】
2008167121.tif 000004
【図３】
2008167121.tif 000005
【図４】
2008167121.tif 000006
【図５】
2008167121.tif 000007